(57)【要約】【課題】機体内に複数配列されたリールの裏側に光源が配置され、該光源で各リールの図柄を照明するようにしたスロットマシンにおいて、別部品としての導光板を使用せずに、簡素な構成で、反射板全体にほぼ均等な輝度を発揮することが可能となるスロットマシンを提供する。【解決手段】外周面に複数の図柄が描かれた図柄シート２２を有するリール１８を複数個備え、各リールを回転することによって変化する図柄シート２２の図柄を機体１の表示窓７から表示し、各リールを順次停止させることによって、それぞれ停止した図柄を表示窓７内に表示するようにしたスロットマシンにおいて、各リール１８の裏側には停止表示される図柄に応じた照光ユニット２３が設けられ、該照光ユニットは側部に複数の発光体２５を配列した発光体基板２６と、夫々の発光体２５の近傍から直状に延びる凸部２７を所定間隔で複数個形成してなる反射板２４とから成るものである。【選択図】図３
2006094989.tif 000002
【特許請求の範囲】
【請求項１】
外周面に複数の図柄が描かれた図柄シートを有するリールを複数個備え、各リールを回転することによって変化する図柄シートの図柄を機体の表示窓から表示し、各リールを順次停止させることによって、それぞれ停止した図柄を表示窓内に表示するようにしたスロットマシンにおいて、各リールの裏側には停止表示される図柄に応じた照光ユニットが設けられ、該照光ユニットは側部に複数の発光体を配列した発光体基板と、夫々の発光体の近傍から直状に延びる凸部を所定間隔で複数個形成してなる反射板とから成ることを特徴とするスロットマシン。
【請求項２】
前記複数の凸部を有する反射板は、前記凸部による反射面と各凸部間の凹部による反射面とが前記発光体から遠ざかる方向へ登り勾配を有する傾斜状に形成されていることを特徴とする請求項１記載のスロットマシン。
【請求項３】
前記夫々の凸部は前記発光体から遠ざかるに従って次第に広がりを成すことを特徴とする請求項１または２記載のスロットマシン。
【発明の詳細な説明】
【技術分野】
【０００１】
本発明は、外周面に図柄シートが設けられた複数のリールを回転し、各リールを順に停止させることにより、それぞれ停止した図柄を表示窓内に表示するようにしたスロットマシンに関する。
【背景技術】
【０００２】
従来のスロットマシンは、外周面に複数の図柄が描かれた図柄シートを有する３個のリールが整列され、これらのリールを回転することによって変化する図柄シートの図柄を機体の表示窓から表示し、各リールを順次停止させることにより、それぞれ停止した図柄を表示窓内に表示するようにしている。
【０００３】
このようなスロットマシンにおいて、表示窓には各図柄の停止位置に合わせて、上、中、下、斜めの５本の停止ラインが形成され、各リールの停止時において、いずれかの停止ライン上に特定の図柄の組合せが成立すると入賞となり、遊技者に所定枚数のメダルが払出されるものである。
【０００４】
この種のスロットマシンには、リールの裏側に各図柄に応じて光源が配置され、上記の停止ライン上に位置する図柄や入賞となる図柄の背後を照明するようにした機種が存在する。その例として、特許文献１に記載のスロットマシンは、図８に示すように、本体フレーム５５と３個の開口部５９を有する支持フレーム５６と２枚の側板５７（片側の側板は不図示）とが組み合わされた光源ユニット５１を有し、この光源ユニット５１が各開口部５９をシンボル停止表示位置に対応させた状態でリールの裏側に配備されている。
【０００５】
また、各開口部５９の後方には導光板５８ａ、５８ｂ、５８ｃが配備されると共に、これらの導光板５８ａ、５８ｂ、５８ｃの一側面に、一方の側板５７の前縁に配列された複数個のＬＥＤ５２が挿入される。
【０００６】
このような構成において、各ＬＥＤ５２から発射された光は前後の各方向に広がりつつリールの幅方向に沿って進み、さらに前方向に広がった光および本体フレーム５５の支持面からの反射光は、導光板５８ａ、５８ｂ、５８ｃを介して拡散され、開口部５９へと導かれるようにされている。
【特許文献１】特開２００２−１４３３７５号公報
【発明の開示】
【発明が解決しようとする課題】
【０００７】
上記の特許文献１の構成において、各ＬＥＤ５２から発射された光は支持フレーム５６に設けられた各導光板５８ａ、５８ｂ、５８ｃによって拡散される構成とされているため、従来のスロットマシンにおいては上記のような導光板が必須の構成要素とされていた。
【０００８】
ところが、上記のような導光板は、支持フレームに対して別部品であるため、その分、コスト高となり、また組立作業に手間を要するという欠点があった。
【０００９】
本発明は、上記の事情に鑑みてなされたもので、機体内に複数配列されたリールの裏側に光源が配置され、該光源で各リールの図柄を照明するようにしたスロットマシンにおいて、別部品としての導光板を使用せずに、簡素な構成で、反射板全体にほぼ均等な輝度を発揮することが可能となるスロットマシンを提供することを目的とする。
【課題を解決するための手段】
【００１０】
上記の問題を解決するために、本発明の請求項１のスロットマシンは、外周面に複数の図柄が描かれた図柄シートを有するリールを複数個備え、各リールを回転することによって変化する図柄シートの図柄を機体の表示窓から表示し、各リールを順次停止させることによって、それぞれ停止した図柄を表示窓内に表示するようにしたスロットマシンにおいて、各リールの裏側には停止表示される図柄に応じた照光ユニットが設けられ、該照光ユニットは側部に複数の発光体を配列した発光体基板と、夫々の発光体の近傍から直状に延びる凸部を所定間隔で複数個形成してなる反射板とから成ることを特徴とする。
【００１１】
また、請求項２のスロットマシンは、請求項１において、前記複数の凸部を有する反射板は、前記凸部による反射面と各凸部間の凹部による反射面とが前記発光体から遠ざかる方向へ登り勾配を有する傾斜状に形成されていることを特徴とする。
【００１２】
さらに、請求項３のスロットマシンは、請求項１または２において、前記夫々の凸部は前記発光体から遠ざかるに従って次第に広がりを成すことを特徴とする。
【発明の効果】
【００１３】
本発明によれば、機体内に複数配列されたリールの裏側に光源が配置され、該光源で各リールの図柄を照明するようにしたスロットマシンにおいて、別部品としての導光板を使用することなく、リールに設けられた反射板に複数の凸部を形成した簡素な構成によって反射板全体にほぼ均等な輝度を発揮することが可能となる。
【００１４】
また、このような反射板は、一体成形による加工が可能であり、上記のように導光板のような別部品が不要であることと併せて、低コストによる製造が可能となる。
【００１５】
また、本発明による反射板において、凸部による反射面と各凸部間の凹部による反射面とが発光体から遠ざかる方向へ登り勾配を有する傾斜状に形成されていることによって、各凸部の反射面及び各凹部の反射面に対する発光体からの光りの反射率が向上し、これによってＬＥＤから遠ざかるに従って低下する光量を補い、反射板全体として均等な輝度を発揮することが可能となる。
【００１６】
さらに、本発明による反射板において、夫々の凸部は発光体から遠ざかるに従って次第に広がりを成す構成とすることにより、各凸部の反射面に対するＬＥＤからの光りの反射率が向上し、ＬＥＤから遠ざかるに従って低下する光量を補うことができ、反射板全体として均等な輝度を発揮することが可能となる。
【発明を実施するための最良の形態】
【００１７】
以下、本発明の実施例について図面を参照しながら説明する。
【実施例１】
【００１８】
図１は本発明が適用されたスロットマシンの外観を示すものである。この図に示すように、スロットマシンの機体１は、ボックス形状の本体部２の前面開口に扉部３が開閉可能に設けられたもので、扉部３の前面には、透明な合成樹脂板または強化ガラスの表面に任意の彩色を施して形成された上部パネル４と中央の正面パネル５と下部パネル６とが設けられている。このうち正面パネル５には表示窓７が設けられている。
【００１９】
また、正面パネル５と下部パネル６との間には、スタートレバー２９、機体１内に設けられた３個のリール８ａ、８ｂ、８ｃにそれぞれ対応した３個の停止ボタン９ａ、９ｂ、９ｃ、メダル投入口１０等が設けられ、下部パネル６の下方には、メダル払出口１１、メダル受皿１２等が設けられている。
【００２０】
また、機体１の内部構造を示す図２において、機体１の内部には、上方に制御基板１３が設けられ、ほぼ中央にはリールユニット１４が設けられ、下方には多数枚のメダルを収容すると共にメダル払出口１５へメダルを払い出すホッパー１６が設けられている。
【００２１】
上記のリールユニット１４は、図３に示すように、フレーム１７に３個のリール１８、１８…が横方向に配列された状態で一体に組み込まれ、それぞれの片側位置に配設された取付板１９、１９…に、各リール１８を個別に回転駆動する電動モータ２０を備えた構成とされている。各リール１８は円筒状の枠体２１の外周面に帯状の図柄シート２２を貼着して成り、夫々の図柄シート２２は透孔性を有する素材により構成され、その表面には様々な文字や図柄等が描かれており、各リール１８を停止した際の図柄の組み合わせによって入賞を成立させる構成とされている。
【００２２】
また、各リール１８の内部には、夫々の外周に設けられる図柄シート２２の裏側に沿う周方向に複数の照光ユニット２３が配列されている。この照光ユニット２３は上記の表示窓６（図１参照）の縦方向の幅に対応するものである。即ち、表示窓６の縦方向の幅は、図柄シート２２に描かれた周方向に連続する３駒の図柄（例えば、図３に示す図柄２２ａ、２２ｂ、２２ｃ）を視認し得る長さを有し、３駒の夫々の図柄２２ａ、２２ｂ、２２ｃに対応してその裏面に３個の反射板２４を有する照光ユニット２３が設けられた構成となる。
【００２３】
図４に示すように、照光ユニット２３は、側部に複数の発光体２５（本実施例においてはＬＥＤ２５を使用する）を配列した発光体基板２６と、夫々の発光体２５の近傍から直状に延びる複数の凸部２７、２７…を所定間隔で形成してなる３個の反射板２４、２４…とから成るものである。このような反射板２４は合成樹脂により形成され、各凸部２７を含む一体成形により形成することができる。
【００２４】
ただし、本実施例の照光ユニット２３は、図３に示すように、図柄シート２２の３駒の図柄２２ａ、２２ｂ、２２ｃに対応して３個の反射板２４が組み合わされた構成を有する。即ち、図３及び図４に示すように、リール１８の周方向に角度を取りながら３辺２６ａ、２６ｂ、２６ｃを有する折曲形状に形成された一枚の発光体基板２６の各辺に応じて夫々の反射板２４、２４…が固設された構成となる。
【００２５】
図４に示すように、上記の発光体基板２６には、その各辺２６ａ、２６ｂ、２６ｃごとに均等な間隔をあけて４個のＬＥＤ２５、２５…が設けられている。また、各反射板２４は発光体基板２６の面に対して垂直に設けられ、各ＬＥＤ２５、２５間の中間位置から遠ざかる方向に直状の凸部２７が形成されている。
【００２６】
上記の反射板２４において、夫々の凸部２７は、図５(ａ)及び(ｂ)に示すように、断面三角形状の凸部２７ａを直状に形成してもよいし、図５(ｃ)及び(ｄ)に示すように、断面円弧形の凸部２７ｂを直状に形成してもよい。このような構成により、各ＬＥＤ２５から発射された光は、光の拡散によって凸部２７の反射面で反射したり、互いに対面する凸部２７の反射面で反射したり、凸部２７と凸部２７の間に存在する凹部２８による反射面で反射したりしながら各ＬＥＤ２５から遠ざかる方向へ進行することにより、反射板２４全体としてもほぼ均等な輝度で図柄シート２２（図３参照）を裏面から照射することが可能となる。
【００２７】
さらに、上記の反射板２４においては、各ＬＥＤ２５から遠ざかる方向へ登り勾配を有する傾斜状に形成されている。即ち、図６に示すように、反射板２４の凹部２８による反射面と凸部による反射面が各ＬＥＤ２５（図４参照）から遠ざかる方向へ登り勾配を有する傾斜状に形成された構成により、各凸部２７の反射面及び各凹部２８の反射面に対するＬＥＤ２５からの光の反射率が向上し、これによってＬＥＤ２５から遠ざかるに従って低下する光量を補い、反射板２４全体として均等な輝度を発揮することが可能となる。
【００２８】
さらに、上記の反射板２４においては、図７(ａ)及び(ｂ)に示すように、断面三角形状の凸部２７ａをＬＥＤ２５から遠ざかるに従って次第に広がりを成す形状としてもよい。また、図７(ｃ)及び(ｄ)に示すように、断面円弧形の凸部２７ｂをＬＥＤ２５から遠ざかるに従って次第に広がりを成す形状してもよい。このような構成より、各凸部２７の反射面に対するＬＥＤ２５からの光の反射率が向上し、ＬＥＤ２５から遠ざかるに従って低下する光量を補うことができ、反射板２４全体として均等な輝度を発揮することが可能となる。
【００２９】
なお、上記の反射板２４において、各凸部２７による反射面又は各凹部２８による反射面又はその両方に光の拡散性を向上する粒子状の突部（不図示）を形成することにより、上記の効果と併せて、反射板２４全体の光の拡散性が向上し、高輝度を発揮する反射板２４とすることができる。
【００３０】
本実施例のスロットマシンは、上記のように構成されているため、従来のように導光板を別途設けることなく、反射板２４そのものを形成する際の加工によって、反射板２４に上記の凸部２７を一体成形することができ、ＬＥＤ２５から遠ざかるに従って低下する光量を補い、反射板２４全体としての均等な輝度を発揮することによって、入賞にかかる図柄シート２２の図柄等を背後からほぼ均等な輝度で照明することが可能となる。
【産業上の利用可能性】
【００３１】
本発明は、機体内に複数配列されたリールの裏側に光源が配置され、該光源で各リールの図柄を照明するようにしたスロットマシンにおいて、別部品としての導光板を使用せずに、反射板に凸部を形成した簡素な構成によって反射板全体にほぼ均等な輝度を発揮することを可能とすると共に、コストを低減することができるスロットマシンとしての利用が可能となる。
【図面の簡単な説明】
【００３２】
【図１】本発明に適用されるスロットマシンの外観図である。
【図２】本発明に適用されるスロットマシンの内部構造を示す図である。
【図３】本発明に適用されるリールユニットの全体斜視図である。
【図４】本発明に適用される照光ユニットの全体斜視図である。
【図５】(ａ)〜(ｄ)は、本発明における反射板の各種形態を示す斜視図である。
【図６】図７(ａ)又は(ｃ)のＣ−Ｃ線断面図である。
【図７】(ａ)は本発明における反射板の凸部を断面三角形状に形成した場合の平面図であり、(ｂ)は図７(ａ)のＡ−Ａ線断面図であり、(ｃ)は本発明における反射板の凸部を断面円弧形状に形成した場合の平面図であり、(ｄ)は図７(ｃ)のＢ−Ｂ線断面図である。
【図８】特許文献１に関する分解斜視図である。
【符号の説明】
【００３３】
１…機体
２…本体部
３…扉部
４…上部パネル
５…正面パネル
６…下部パネル
７…表示窓
８ａ、８ｂ、８ｃ…リール
９ａ、９ｂ、９ｃ…停止ボタン
１０…メダル投入口
１１…メダル払出口
１２…メダル受皿
１３…制御基板
１４…リールユニット
１５…メダル払出口
１６…ホッパー
１７…フレーム
１８…リール
１９…取付板
２０…電動モータ
２１…枠体
２２…図柄シート
２２ａ、２２ｂ、２２ｃ…図柄
２３…照光ユニット
２４…反射板
２５…発光体（ＬＥＤ）
２６…発光体基板
２６ａ、２６ｂ、２６ｃ…３辺
２７…凸部
２８…凹部
２９…スタートレバー
【図１】
2006094989.tif 000003
【図２】
2006094989.tif 000004
【図３】
2006094989.tif 000005
【図４】
2006094989.tif 000006
【図５】
2006094989.tif 000007
【図６】
2006094989.tif 000008
【図７】
2006094989.tif 000009
【図８】
2006094989.tif 000010